(57)【特許請求の範囲】
【請求項１】
タッチユーザインタフェースを支援する情報通信端末上で仮想キー入力手段に背景画面広告を提供する仮想キー入力手段の背景画面広告提供方法において、
透明スキン入力器を生成するステップと、
前記透明スキン入力器の背景画面に広告コンテンツスキンを提供するステップと、
ユーザの広告閲覧に対する対価を補償するステップとを含み、
前記透明スキン入力器を生成するステップは、
仮想キー入力手段入力器を選択するステップと、
選択された前記仮想キー入力手段入力器に基づいて透明スキン入力器を生成するステップとを含み、
前記仮想キー入力手段入力器を選択するステップは、
前記仮想キー入力手段入力器の使用言語を選択するステップと、
キー入力方式を選択するステップと、
前記仮想キー入力手段入力器の形状を選択するステップとを含み、
前記仮想キー入力手段入力器に基づいて透明スキン入力器を生成するステップは、
選択された前記仮想キー入力手段入力器を２次元グラフィックフレームで生成するステップと、
前記２次元グラフィックフレーム上に文字キーを割り当てて配置するステップと、
前記文字キーが配置された２次元グラフィックフレームを透明スキン入力器として生成するステップとを含み、
前記仮想キー入力手段入力器の背景画面に広告コンテンツスキンを提供するステップは、
広告コンテンツを選択するステップと、
選択された前記広告コンテンツを前記透明スキン入力器の背景画面用の広告コンテンツスキンとして生成するステップと、
前記透明スキン入力器に前記広告コンテンツスキンを合成するステップとを含むことを特徴とする
仮想キー入力手段の背景画面広告提供方法。
【請求項２】
前記透明スキン入力器を格納する透明スキン入力器ＤＢを構成するステップをさらに含むことを特徴とする
請求項１に記載の仮想キー入力手段の背景画面広告提供方法。
【請求項３】
前記透明スキン入力器ＤＢを構成するステップは、
透明スキン入力器毎に、使用言語、入力方式、入力器の形態、制作日、制作者、大きさのうちの少なくともいずれか１つを含むデータ属性を付与するステップと、
透明スキン入力器をデータ属性に応じて透明スキン入力器ＤＢに格納するステップとを含むことを特徴とする
請求項２に記載の仮想キー入力手段の背景画面広告提供方法。
【請求項４】
前記透明スキン入力器に前記広告コンテンツスキンを合成するステップは、
前記広告コンテンツスキンを情報通信端末のディスプレイ上の仮想キー入力手段入力器領域にロードするステップと、
前記仮想キー入力手段入力器の透明スキン入力器をロードして前記広告コンテンツスキンと合成するステップとを含むことを特徴とする
請求項１に記載の仮想キー入力手段の背景画面広告提供方法。
【請求項５】
前記広告コンテンツを前記透明スキン入力器の背景画面用の広告コンテンツスキンとして生成するステップは、
選択された前記広告コンテンツを前記透明スキン入力器の大きさに合わせて整形化するステップと、
ユーザの情報通信端末の解像度に合わせて前記広告コンテンツの解像度を調整するステップと、
前記広告コンテンツを前記透明スキン入力器の背景画面用スキンとして作り、広告コンテンツスキンを生成するステップとを含むことを特徴とする
請求項１に記載の仮想キー入力手段の背景画面広告提供方法。
【請求項６】
前記広告コンテンツスキンを格納する広告コンテンツスキンＤＢを構成するステップをさらに含むことを特徴とする
請求項５に記載の仮想キー入力手段の背景画面広告提供方法。
【請求項７】
前記広告コンテンツスキンＤＢを構成するステップは、
広告コンテンツ毎に、広告名、広告制作者、制作日、コンテンツ媒体、大きさ、著作権、コンテンツ形式、コンテンツ等級のうちの少なくともいずれか１つを含むデータ属性を付与するステップと、
広告コンテンツスキンをデータ属性に応じて広告コンテンツスキンＤＢに格納するステップとを含むことを特徴とする
請求項６に記載の仮想キー入力手段の背景画面広告提供方法。
【請求項８】
前記広告コンテンツは、絵、写真、アニメーション、動画、３Ｄ動画を含むマルチメディアファイルであることを特徴とする
請求項１に記載の仮想キー入力手段の背景画面広告提供方法。
【請求項９】
前記広告コンテンツを選択するステップは、
ユーザに情報通信端末上の仮想キー入力手段入力器に外部広告の開示を確認するステップと、
ユーザの認証を受けるステップと、
広告提供者サーバでユーザに広告コンテンツを提供するステップとを含むことを特徴とする
請求項１に記載の仮想キー入力手段の背景画面広告提供方法。
【請求項１０】
前記広告提供者サーバでユーザに広告コンテンツを提供するステップは、有無線媒体によるストリーミング方式または格納媒体によるダウンロード方式を含むことを特徴とする
請求項９に記載の仮想キー入力手段の背景画面広告提供方法。
【請求項１１】
広告提供者サーバから提供される広告コンテンツをユーザが直接選択するステップ、広告提供者サーバでユーザの位置情報に基づいて広告コンテンツを提供するステップ、広告提供者サーバでユーザの活動情報に基づいて広告コンテンツを提供するステップ、広告提供者サーバでユーザの個人情報に基づいて広告コンテンツを提供するステップ、のうちのいずれか１つのステップまたは２つ以上が複合されたステップをさらに含むことを特徴とする
請求項９に記載の仮想キー入力手段の背景画面広告提供方法。
【請求項１２】
前記広告提供者サーバから提供される広告コンテンツをユーザが直接選択するステップは、
広告領域および内容をユーザにメタデータテーブル形式で開示するステップと、
ユーザが広告領域および内容を含むメタデータを選択するステップとを含むことを特徴とする
請求項１１に記載の仮想キー入力手段の背景画面広告提供方法。
【請求項１３】
前記広告提供者サーバでユーザの位置情報に基づいて広告コンテンツを提供するステップは、
ユーザの情報通信端末から位置情報を収集するステップと、
ユーザの位置情報に関連する広告コンテンツをユーザに提供するステップとを含むことを特徴とする
請求項１１に記載の仮想キー入力手段の背景画面広告提供方法。
【請求項１４】
前記広告提供者サーバでユーザの活動情報に基づいて広告コンテンツを提供するステップは、
ユーザの情報通信端末からユーザの活動情報を収集するステップと、
ユーザの活動情報に関連する広告コンテンツをユーザに提供するステップとを含むことを特徴とする
請求項１１に記載の仮想キー入力手段の背景画面広告提供方法。
【請求項１５】
前記広告提供者サーバでユーザの個人情報に基づいて広告コンテンツを提供するステップは、
ユーザの情報通信端末からユーザの個人情報を収集するステップと、
ユーザの個人情報に関連する広告コンテンツをユーザに提供するステップとを含むことを特徴とする
請求項１１に記載の仮想キー入力手段の背景画面広告提供方法。
【請求項１６】
前記ユーザの広告閲覧に対する対価を補償するステップは、
広告を閲覧したユーザの情報を格納する広告閲覧ユーザＤＢを構成するステップと、
広告を閲覧したユーザに提供される補償情報を格納する広告閲覧補償情報ＤＢを構成するステップとを含むことを特徴とする
請求項１に記載の仮想キー入力手段の背景画面広告提供方法。
【請求項１７】
前記広告閲覧ユーザＤＢを構成するステップは、ユーザ毎に、閲覧広告内訳、補償内訳、補償日のうちの少なくともいずれか１つを含むデータ属性を付与して格納することによって達成されることを特徴とする
請求項１６に記載の仮想キー入力手段の背景画面広告提供方法。
【請求項１８】
前記広告閲覧補償情報ＤＢを構成するステップは、広告コンテンツ毎に、広告コンテンツ名、広告閲覧項目、広告閲覧数、閲覧日、補償方法のうちの少なくともいずれか１つを含むデータ属性を付与して格納することによって達成されることを特徴とする
請求項１６に記載の仮想キー入力手段の背景画面広告提供方法。
【請求項１９】
前記ユーザの広告閲覧に対する対価を補償するステップは、
ユーザが閲覧した広告コンテンツに対する統計を求めるステップと、
ユーザに補償内訳を提示するステップと、
ユーザに補償を提供するステップとをさらに含むことを特徴とする
請求項１６に記載の仮想キー入力手段の背景画面広告提供方法。
【請求項２０】
前記ユーザに補償内訳を提示するステップは、複数の補償タイプを提示してユーザの選択を確認するステップを含むことを特徴とする
請求項１９に記載の仮想キー入力手段の背景画面広告提供方法。
【請求項２１】
前記複数の補償タイプは、クーポン取り、現金取り、商品取り、割引取りのうちの少なくとも２つ以上のタイプを含むことを特徴とする
請求項２０に記載の仮想キー入力手段の背景画面広告提供方法。
【請求項２２】
タッチユーザインタフェースを支援する情報通信端末上で仮想キー入力手段に背景画面広告を提供する仮想キー入力手段の背景画面広告提供システムにおいて、
仮想キー入力手段入力器を透明スキン入力器として生成する透明スキン入力器生成手段と、
広告コンテンツを背景画面用スキンとして生成する広告コンテンツスキン生成手段と、
前記透明スキン入力器と前記広告コンテンツスキンとを合成するスキン合成手段とを備え、
前記透明スキン入力器生成手段は、仮想キー入力手段入力器を２次元グラフィックフレームで生成し、２次元グラフィックフレーム上に文字キーを割り当てて透明スキン入力器を生成し、
前記広告コンテンツスキン生成手段は、広告コンテンツを透明スキン入力器の背景画面用の広告コンテンツスキンとして生成することを特徴とする
仮想キー入力手段の背景画面広告提供システム。
【請求項２３】
前記透明スキン入力器を、使用言語、入力方式、入力器の形態、制作日、制作者、大きさのうちの少なくともいずれか１つを含むデータ属性を有するように格納して管理する透明スキン入力器ＤＢをさらに備えることを特徴とする
請求項２２に記載の仮想キー入力手段の背景画面広告提供システム。
【請求項２４】
前記広告コンテンツスキン生成手段は、広告コンテンツを仮想キー入力手段入力器の大きさに合わせて整形化し、ユーザの情報通信端末の解像度に合わせて解像度を調整し、背景画面用広告コンテンツスキンとして生成することを特徴とする
請求項２２に記載の仮想キー入力手段の背景画面広告提供システム。
【請求項２５】
前記広告コンテンツスキンを、広告名、広告制作者、制作日、コンテンツ媒体、大きさ、著作権、コンテンツ形式、コンテンツ等級のうちの少なくともいずれか１つを含むデータ属性を有するように格納して管理する広告コンテンツスキンＤＢをさらに備えることを特徴とする
請求項２２または２４に記載の仮想キー入力手段の背景画面広告提供システム。
【請求項２６】
前記広告コンテンツは、絵、写真、アニメーション、動画、３Ｄ動画を含むマルチメディアファイルであることを特徴とする
請求項２２に記載の仮想キー入力手段の背景画面広告提供システム。
【請求項２７】
前記スキン合成手段は、前記広告コンテンツスキンを情報通信端末のディスプレイ上の仮想キー入力手段入力器領域にロードし、前記透明スキン入力器をロードして前記透明スキン入力器と前記広告コンテンツスキンとを合成することを特徴とする
請求項２２に記載の仮想キー入力手段の背景画面広告提供システム。
【請求項２８】
前記スキン合成手段によって合成された合成スキンを格納して管理する合成スキンＤＢをさらに備えることを特徴とする
請求項２７に記載の仮想キー入力手段の背景画面広告提供システム。
【請求項２９】
広告コンテンツを提供する広告提供者サーバと、
前記広告提供者サーバに備えられ、ユーザの広告コンテンツ閲覧に対する対価を補償する広告閲覧補償手段とをさらに備えることを特徴とする
請求項２２に記載の仮想キー入力手段の背景画面広告提供システム。
【請求項３０】
前記広告提供者サーバは、有無線媒体によるストリーミング方式または格納媒体によるダウンロード方式でユーザに広告コンテンツを提供することを特徴とする
請求項２９に記載の仮想キー入力手段の背景画面広告提供システム。
【請求項３１】
前記広告提供者サーバは、ユーザが直接広告コンテンツを選択できるユーザカスタマイズ型広告コンテンツ生成手段をさらに備えることを特徴とする
請求項２９に記載の仮想キー入力手段の背景画面広告提供システム。
【請求項３２】
前記広告提供者サーバは、ユーザの位置情報、活動情報、個人情報のうちの少なくともいずれか１つまたは２つ以上が複合された情報に基づいて広告コンテンツを提供することを特徴とする
請求項２９に記載の仮想キー入力手段の背景画面広告提供システム。
【請求項３３】
前記広告閲覧補償手段は、ユーザが閲覧した広告コンテンツに対する統計を求め、統計値に対応して補償を提供することを特徴とする
請求項２９に記載の仮想キー入力手段の背景画面広告提供システム。
【請求項３４】
前記広告閲覧補償手段は、ユーザの選択によって、クーポン取り、現金取り、商品取り、割引取りのうちの少なくともいずれか１つの補償タイプを決定することを特徴とする
請求項３３に記載の仮想キー入力手段の背景画面広告提供システム。
【請求項３５】
ユーザの広告閲覧情報を、ユーザ毎に、閲覧広告内訳、補償内訳、補償日のうちの少なくともいずれか１つを含むデータ属性を有するように格納して管理する広告閲覧ユーザＤＢをさらに備えることを特徴とする
請求項２９に記載の仮想キー入力手段の背景画面広告提供システム。
【請求項３６】
広告閲覧に関する補償情報を、広告コンテンツ毎に、広告コンテンツ名、広告閲覧項目、広告閲覧数、閲覧日、補償方法のうちの少なくともいずれか１つを含むデータ属性を有するように格納して管理する広告閲覧補償情報ＤＢをさらに備えることを特徴とする
請求項２９に記載の仮想キー入力手段の背景画面広告提供システム。
【発明の詳細な説明】
【技術分野】
【０００１】
本発明は、タッチユーザインタフェースを支援する情報通信端末において、タッチ入力のための仮想キー入力手段の背景画面領域に広告コンテンツを提供し、ユーザの広告閲覧に対する対価として補償を行う仮想キー入力手段の背景画面広告提供方法およびシステムに関する。
【背景技術】
【０００２】
近年、スマートフォン、パッド型ＰＣなどのようなモバイル情報通信端末、または車両用ナビゲーションなどのような据置型情報通信端末のうち、タッチ型ユーザインタフェースを支援する端末が急激に増加している。タッチユーザインタフェースは、表示画面にクワーティ（Ｑｗｅｒｔｙ）キーボードや１２キーパッドなどの多様なタイプのキーパッド（またはキーボード）をディスプレイし、ユーザが仮想のキーパッドをタッチするとき、タッチ入力が行われたキーパッドを入力信号として認識する。このような仮想のキー入力手段は、道具の多様性を提供し、ユーザの自由な機器選択を可能にする。また、タッチユーザインタフェースが搭載された端末は、直観的ＵＩ（Ｕｓｅｒ  Ｉｎｔｅｒｆａｃｅ）を提供することにより、比較的高価であるが、高い製品競争力を持つ。
【０００３】
特に、ＴＵＩ（Ｔｏｕｃｈ  Ｕｓｅｒ  Ｉｎｔｅｒｆａｃｅ）を支援する進歩した端末において、情報検索エンジンの検索ウィンドウ、ソーシャルネットワークサービス（ＳＮＳ；Ｓｏｃｉａｌ  Ｎｅｔｗｏｒｋ  Ｓｅｒｖｉｃｅ）、Ｅ−ｍａｉｌ、ＳＭＳ（Ｓｈｏｒｔ  Ｍｅｓｓａｇｅ  Ｓｅｒｖｉｃｅ）、（Ｍｕｌｔｉｍｅｄｉａ  Ｍｅｓｓａｇｅ  Ｓｅｒｖｉｃｅ）などを利用するために、仮想キー入力手段は非常に頻繁に使われている。しかしながら、従来、ＴＵＩ（Ｔｏｕｃｈ  Ｕｓｅｒ  Ｉｎｔｅｒｆａｃｅ）を支援する端末では、キーパッドが表示画面の広い領域を占めているにもかかわらず、キーパッドの背景画面が単色のボタンで提供されていた。すなわち、仮想のキーパッドが広いディスプレイ空間を占めてソフトウェア的に提供されていながら、この空間をビジネス的に活用することができなかった。
【０００４】
通常のモバイル情報通信端末は、ビジネスサービスで利用可能な空間が制限的であった。しかし、最近のビジネスサービスは、ユーザと相互対話式サービスを実施できる空間を確保することが重要な意味を持つ。これは、道具の使いやすさ、そして学びやすさなどを目指すユーザインタフェース技術と、使うことの楽しさ、そしてユーザの潜在的欲求の実現を目標とするユーザエクスペリエンス（ＵＸ；Ｕｓｅｒ  Ｅｘｐｅｒｉｅｎｃｅ）技術とが融合する最新技術分野でもある。
【０００５】
一方、背景画面を提供する技術のうち、「スキン」に関連する技術がある。「スキン」に関連する先行技術である大韓民国公開特許第２００３−００７３９５７号（スキン変更制御装置および発明）は、文字またはそれに対応する記号を表示可能な表示装置と、選択のための選択キーとを少なくとも備える移動通信端末におけるスキン変更制御装置において、内部メモリのアドレス領域と外部メモリのアドレス領域を格納している内部メモリと、各種スキンデータを格納している外部メモリと、前記外部メモリが装着されたとき、スキンが選択されると、前記外部メモリでスキンデータを読み出して設定するように制御する制御部とからなることを特徴とする移動通信端末におけるスキン変更制御装置である。
【０００６】
しかし、前記先行技術およびそれに関連する技術は、ユーザ経験（ＵＸ）に基づいたビジネスモデルを提供していない。また、ＴＵＩによって提供される仮想キーパッドに関連づけられてもいない。その理由は、スマートフォンなどの情報通信機器の登場が久しくなく、ユーザ経験に関して必要な技術の開発が成熟していないからである。
【発明の概要】
【発明が解決しようとする課題】
【０００７】
本発明は、タッチユーザインタフェースによってディスプレイされる仮想キー入力手段の背景画面を広告ビジネス空間として活用することでユーザカスタマイズ型またはユーザ対話型広告コンテンツを提供し、広告閲覧に対する対価として適切な補償を行うことにより、ユーザには遊休空間の提供に伴う経済的利益を発生させ、広告主または広告サービス提供者にはモバイル広告ビジネスの新しいモデルを創り出せるようにすることを目的とする。
【課題を解決するための手段】
【０００８】
上記の目的を達成するための、本発明にかかる仮想キー入力手段の背景画面広告提供方法は、タッチユーザインタフェースを支援する情報通信端末上で仮想キー入力手段に背景画面広告を提供する仮想キー入力手段の背景画面広告提供方法において、仮想キー入力手段入力器を生成するステップと、前記仮想キー入力手段入力器の背景画面に広告コンテンツスキンを提供するステップと、ユーザの広告閲覧に対する対価を補償するステップとを含むことを特徴とする。
【０００９】
前記仮想キー入力手段入力器を生成するステップは、仮想キー入力手段入力器を選択するステップと、選択された仮想キー入力手段入力器に基づいて透明スキン入力器を生成するステップとを含む。
【００１０】
前記仮想キー入力手段入力器を選択するステップは、仮想キー入力手段入力器の使用言語を選択するステップと、キー入力方式を選択するステップと、仮想キー入力手段入力器の形状を選択するステップとを含む。
【００１１】
前記透明スキン入力器を生成するステップは、選択された仮想キー入力手段入力器を２次元グラフィックフレームで生成するステップと、２次元グラフィックフレーム上に文字キーを割り当てて配置するステップと、文字キーが配置された２次元グラフィックフレームを透明スキン入力器として生成するステップとを含む。
【００１２】
前記透明スキン入力器を格納する透明スキン入力器ＤＢを構成するステップをさらに含む。
【００１３】
前記透明スキン入力器ＤＢを構成するステップは、透明スキン入力器毎に、使用言語、入力方式、入力器の形態、制作日、制作者、大きさのうちの少なくともいずれか１つを含むデータ属性を付与するステップと、透明スキン入力器をデータ属性に応じて透明スキン入力器ＤＢに格納するステップとを含む。
【００１４】
前記仮想キー入力手段入力器の背景画面に広告コンテンツスキンを提供するステップは、広告コンテンツを選択するステップと、広告コンテンツを仮想キー入力手段入力器の背景画面用スキンとして生成するステップと、前記仮想キー入力手段入力器に広告コンテンツスキンを合成するステップとを含む。
【００１５】
前記仮想キー入力手段入力器に広告コンテンツスキンを合成するステップは、前記広告コンテンツスキンを情報通信端末のディスプレイ上の仮想キー入力手段入力器領域にロードするステップと、前記仮想キー入力手段入力器の透明スキン入力器をロードして前記広告コンテンツスキンと合成するステップとを含む。
【００１６】
前記広告コンテンツを仮想キー入力手段入力器の背景画面用スキンとして生成するステップは、選択された広告コンテンツを仮想キー入力手段入力器の大きさに合わせて整形化するステップと、ユーザの情報通信端末の解像度に合わせて広告コンテンツの解像度を調整するステップと、広告コンテンツを仮想キー入力手段入力器の背景画面用スキンとして作り、広告コンテンツスキンを生成するステップとを含む。
【００１７】
前記広告コンテンツスキンを格納する広告コンテンツスキンＤＢを構成するステップをさらに含む。
【００１８】
前記広告コンテンツスキンＤＢを構成するステップは、広告コンテンツ毎に、広告名、広告制作者、制作日、コンテンツ媒体、大きさ、著作権、コンテンツ形式、コンテンツ等級のうちの少なくともいずれか１つを含むデータ属性を付与するステップと、広告コンテンツスキンをデータ属性に応じて広告コンテンツスキンＤＢに格納するステップとを含む。
前記広告コンテンツは、絵、写真、アニメーション、動画、３Ｄ動画を含むマルチメディアファイルである。
【００１９】
前記広告コンテンツを選択するステップは、ユーザに情報通信端末上の仮想キー入力手段入力器に外部広告の開示を確認するステップと、ユーザの認証を受けるステップと、広告提供者サーバでユーザに広告コンテンツを提供するステップとを含む。
【００２０】
前記広告提供者サーバでユーザに広告コンテンツを提供するステップは、有無線媒体によるストリーミング方式または格納媒体によるダウンロード方式を含む。
【００２１】
広告提供者サーバから提供される広告コンテンツをユーザが直接選択するステップ、広告提供者サーバでユーザの位置情報に基づいて広告コンテンツを提供するステップ、広告提供者サーバでユーザの活動情報に基づいて広告コンテンツを提供するステップ、広告提供者サーバでユーザの個人情報に基づいて広告コンテンツを提供するステップ、のうちのいずれか１つのステップまたは２つ以上が複合されたステップをさらに含む。
【００２２】
前記広告提供者サーバから提供される広告コンテンツをユーザが直接選択するステップは、広告領域および内容をユーザにメタデータテーブル形式で開示するステップと、ユーザが広告領域および内容を含むメタデータを選択するステップとを含む。
【００２３】
前記広告提供者サーバでユーザの位置情報に基づいて広告コンテンツを提供するステップは、ユーザの情報通信端末から位置情報を収集するステップと、ユーザの位置情報に関連する広告コンテンツをユーザに提供するステップとを含む。
【００２４】
前記広告提供者サーバでユーザの活動情報に基づいて広告コンテンツを提供するステップは、ユーザの情報通信端末からユーザの活動情報を収集するステップと、ユーザの活動情報に関連する広告コンテンツをユーザに提供するステップとを含む。
【００２５】
前記広告提供者サーバでユーザの個人情報に基づいて広告コンテンツを提供するステップは、ユーザの情報通信端末からユーザの個人情報を収集するステップと、ユーザの個人情報に関連する広告コンテンツをユーザに提供するステップとを含む。
【００２６】
前記ユーザの広告閲覧に対する対価を補償するステップは、広告を閲覧したユーザの情報を格納する広告閲覧ユーザＤＢを構成するステップと、広告を閲覧したユーザに提供される補償情報を格納する広告閲覧補償情報ＤＢを構成するステップとを含む。
【００２７】
前記広告閲覧ユーザＤＢを構成するステップは、ユーザ毎に、閲覧広告内訳、補償内訳、補償日のうちの少なくともいずれか１つを含むデータ属性を付与して格納することによって達成される。
【００２８】
前記広告閲覧補償情報ＤＢを構成するステップは、広告コンテンツ毎に、広告コンテンツ名、広告閲覧項目、広告閲覧数、閲覧日、補償方法のうちの少なくともいずれか１つを含むデータ属性を付与して格納することによって達成される。
【００２９】
前記ユーザの広告閲覧に対する対価を補償するステップは、ユーザが閲覧した広告コンテンツに対する統計を求めるステップと、ユーザに補償内訳を提示するステップと、ユーザに補償を提供するステップとをさらに含む。
【００３０】
前記ユーザに補償内訳を提示するステップは、複数の補償タイプを提示してユーザの選択を確認するステップを含む。
【００３１】
前記複数の補償タイプは、クーポン取り、現金取り、商品取り、割引取りのうちの少なくとも２つ以上のタイプを含む。
【００３２】
上記の目的を達成するための、本発明にかかる仮想キー入力手段の背景画面広告提供システムは、タッチユーザインタフェースを支援する情報通信端末上で仮想キー入力手段に背景画面広告を提供する仮想キー入力手段の背景画面広告提供システムにおいて、仮想キー入力手段入力器を透明スキン入力器として生成する透明スキン入力器生成手段と、広告コンテンツを背景画面用スキンとして生成する広告コンテンツスキン生成手段と、前記透明スキン入力器と広告コンテンツスキンとを合成するスキン合成手段とを備えることを特徴とする。
【００３３】
前記透明スキン入力器生成手段は、仮想キー入力手段入力器を２次元グラフィックフレームで生成し、２次元グラフィックフレーム上に文字キーを割り当てて透明スキン入力器を生成する。
【００３４】
前記透明スキン入力器を、使用言語、入力方式、入力器の形態、制作日、制作者、大きさのうちの少なくともいずれか１つを含むデータ属性を有するように格納して管理する透明スキン入力器ＤＢをさらに備える。
【００３５】
前記広告コンテンツスキン生成手段は、広告コンテンツを仮想キー入力手段入力器の背景画面用広告コンテンツスキンとして生成する。
【００３６】
前記広告コンテンツスキン生成手段は、広告コンテンツを仮想キー入力手段入力器の大きさに合わせて整形化し、ユーザの情報通信端末の解像度に合わせて解像度を調整し、背景画面用広告コンテンツスキンとして生成する。
【００３７】
前記広告コンテンツスキンを、広告名、広告制作者、制作日、コンテンツ媒体、大きさ、著作権、コンテンツ形式、コンテンツ等級のうちの少なくともいずれか１つを含むデータ属性を有するように格納して管理する広告コンテンツスキンＤＢをさらに備える。
前記広告コンテンツは、絵、写真、アニメーション、動画、３Ｄ動画を含むマルチメディアファイルである。
【００３８】
前記スキン合成手段は、前記広告コンテンツスキンを情報通信端末のディスプレイ上の仮想キー入力手段入力器領域にロードし、前記透明スキン入力器をロードして透明スキン入力器と広告コンテンツスキンとを合成する。
前記スキン合成手段によって合成された合成スキンを格納して管理する合成スキンＤＢをさらに備える。
【００３９】
広告コンテンツを提供する広告提供者サーバと、前記広告提供者サーバに備えられ、ユーザの広告コンテンツ閲覧に対する対価を補償する広告閲覧補償手段とをさらに備える。
前記広告提供者サーバは、有無線媒体によるストリーミング方式または格納媒体によるダウンロード方式でユーザに広告コンテンツを提供する。
【００４０】
前記広告提供者サーバは、ユーザが直接広告コンテンツを選択できるユーザカスタマイズ型広告コンテンツ生成手段をさらに備える。
【００４１】
前記広告提供者サーバは、ユーザの位置情報、活動情報、個人情報のうちの少なくともいずれか１つまたは２つ以上が複合された情報に基づいて広告コンテンツを提供する。
前記広告閲覧補償手段は、ユーザが閲覧した広告コンテンツに対する統計を求め、統計値に対応して補償を提供する。
【００４２】
前記広告閲覧補償手段は、ユーザの選択によって、クーポン取り、現金取り、商品取り、割引取りのうちの少なくともいずれか１つの補償タイプを決定する。
ユーザの広告閲覧情報を、ユーザ毎に、閲覧広告内訳、補償内訳、補償日のうちの少なくともいずれか１つを含むデータ属性を有するように格納して管理する広告閲覧ユーザＤＢをさらに備える。
【００４３】
広告閲覧に関する補償情報を、広告コンテンツ毎に、広告コンテンツ名、広告閲覧項目、広告閲覧数、閲覧日、補償方法のうちの少なくともいずれか１つを含むデータ属性を有するように格納して管理する広告閲覧補償情報ＤＢをさらに備える。
【発明の効果】
【００４４】
本発明の仮想キー入力手段の背景画面広告提供方法およびシステムによれば、ユーザがタッチユーザインタフェースを支援する情報通信端末を使うとき、接触時間が最も多い仮想キーパッドやキーボードにユーザカスタマイズ型またはユーザ対話型広告を背景画面に提供することにより、多様な形態の広告をユーザに頻繁に露出させることで広告効果を極大化することができ、ユーザには使うことの楽しさとユーザ経験技術を経験させるとともに経済的収益を保障し、窮極的には低迷しているモバイル広告ビジネス事業を活気づかせ、新しい事業モデルを開拓できるという効果がある。
【図面の簡単な説明】
【００４５】
【図１】本発明にかかる仮想キー入力手段の背景画面広告提供システムの一例を示すブロック図である。
【図２】広告提供者サーバの構成例を示すブロック図である。
【図３】仮想キー入力手段入力器の透明スキン入力器の生成過程を示すフローチャートである。
【図４Ａ】透明スキン入力器の生成過程を例示する構成図である。
【図４Ｂ】透明スキン入力器の生成過程を例示する構成図である。
【図５】広告コンテンツスキンの生成過程を示すフローチャートである。
【図６】合成スキンが生成される実施形態を図式化した構成図である。
【図７】広告コンテンツを選択する過程を示すフローチャートである。
【図８】アンドロイドＯＳ基盤で本発明が実行される例を示す構成図である。
【図９】広告閲覧に対する対価を補償する過程を示すフローチャートである。
【図１０】ユーザが補償内訳を選択する過程を示すフローチャートである。
【図１１】ＤＢのレコード属性を例示するメモリテーブル図である。
【図１２Ａ】広告コンテンツスキンの例を示すディスプレイ構成図である。
【図１２Ｂ】広告コンテンツスキンの例を示すディスプレイ構成図である。
【図１２Ｃ】広告コンテンツスキンの例を示すディスプレイ構成図である。
【図１２Ｄ】広告コンテンツスキンの例を示すディスプレイ構成図である。
【発明を実施するための形態】
【００４６】
本発明は、多様な変更を加えることができ、様々な実施形態を有することができるが、特定の実施形態を図面に例示して詳細な説明に詳細に説明する。ただし、これは、本発明を特定の実施形態に対して限定するものではなく、本発明の思想および技術範囲に属するすべての変更、均等物または代替物を含むものと理解されなければならない。
以下、添付した図面を参照して、本発明にかかる好ましい実施形態を詳細に説明するが、図面符号に関係なく、同一または対応する構成要素は同一の参照番号を付し、これに関する重複した説明は省略する。
【００４７】
図１は、本発明にかかる仮想キー入力手段の背景画面広告提供システムの一例を示すブロック図であって、スマートフォンを用いて実現したシステム構造を示す。図２は、本発明にかかる仮想キー入力手段の背景画面広告提供システムの他の例を示すブロック図であって、スマートフォンと広告提供者サーバが有無線通信システムを介してシステムを構成した例を示す。
【００４８】
以下の説明において、「仮想キー入力手段入力器」とは、タッチユーザインタフェースによってソフトウェア的に画面表示されるキーパッドまたはキーボードを称する。例えば、キーパッドまたはキーボードは、クワーティキーボード、１２数字または文字キーパッド、そして、電話ダイヤル用数字入力キーパッドなどを含む。ここで、本発明では、仮想キー入力手段入力器が透明スキンで提供される。以下では、これを「透明スキン入力器」と称する。また、本発明では、広告コンテンツがスマートフォン１０などのような情報通信端末に表示されるように整形化されて広告コンテンツスキンを構成し、この広告コンテンツスキンが透明スキン入力器と合成されて表示される。以下では、広告コンテンツが情報通信端末に好適に整形化されたものを「広告コンテンツスキン」と称し、透明スキン入力器と広告コンテンツスキンとが合成された状態を「合成スキン」と称する。
【００４９】
図１を参照すると、本発明にかかる仮想キー入力手段の背景画面広告提供システムは、基本的に、透明スキン入力器生成手段２２と、広告コンテンツスキン生成手段３２と、透明スキン入力器と広告コンテンツスキンとを合成するスキン合成手段４２と、広告閲覧補償手段５２とから構成される。これらに、選択的にユーザカスタマイズ型広告コンテンツ生成手段６２がさらに備えられてもよい。
【００５０】
ここで、「〜生成手段」のような構成は、ある役割を果たす構成要素であり、外部のＰＣまたは情報通信端末上でグラフィック処理ソフトウェアで実現される構成要素である。一方、「〜生成手段」は、ＦＰＧＡ（Ｆｉｅｌｄ−Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなハードウェア構成であり得る。このように、「〜生成手段」は、ソフトウェアまたはハードウェアに限定される意味ではない。例えば、「〜生成手段」は、アドレッシング可能な格納媒体に構成されてもよく、１つまたはそれ以上のプロセッサを再生させるように構成されてもよい。一例として、「〜生成手段」は、あるプロセス、関数、属性、サブルーチン、プログラムコードのセグメント、ファームウェア、マイクロコード、データベース、変数を含むことができる。
【００５１】
透明スキン入力器生成手段２２は、ユーザの指定した特定の言語（例えば、ハングル、アルファベット、世界文字、絵文字、記号、数字などのような）を入力するための文字キーと、文字キーのフレームデータを有する２次元図形とを生成する機能部である。透明スキン入力器生成手段２２は、ユーザによって仮想のキー入力手段の言語および規格などが定められると、仮想キー入力手段入力器を透明スキンとして生成する。生成された透明スキン入力器は、透明スキン入力器ＤＢ２４に格納されて管理される。透明スキン入力器ＤＢ２４は、入力器毎に、使用言語、入力方式、入力器の形態、制作日、制作者、大きさを含むデータ属性を有する。透明スキン入力器ＤＢ２４および以下に説明される「〜ＤＢ」は、通常のデータベースシステムを用いて実現可能であり、スマートフォン１０で提供するギャラリー（Ｇａｌｌｅｒｙ）写真ファイル形式でも実現可能である。
【００５２】
広告コンテンツスキン生成手段３２は、仮想キー入力手段の大きさや形状などに合わせて、広告コンテンツを背景画面用スキン形態で生成する機能部である。広告コンテンツスキン生成手段３２は、情報通信端末自体に具備され、外部から提供された（リアルタイムストリーミングまたはダウンロードされた）広告コンテンツを背景画面用スキン形態で処理するグラフィック処理ソフトウェアで実現することができる。あるいは、図２に示すように、外部の広告提供者サーバ７０に備えられ、ユーザのスマートフォン１０に好適な広告コンテンツスキンを外部で生成して提供することもできる。図１は、広告コンテンツスキン生成手段３２がスマートフォン１０自体に備えられたことを例示し、図２の実施形態は、広告提供者サーバ７０に具備されたことを例示している。
【００５３】
広告コンテンツを格納するために、広告コンテンツＤＢ２８が活用される。好ましくは、広告コンテンツＤＢ２８は、広告主または広告サービス提供者（以下、通称して「広告提供者」とする）側に具備されたデータベースシステムである。広告コンテンツは、絵、写真、アニメーション、動画、３Ｄ動画を含むマルチメディアファイルである。広告コンテンツＤＢ２８には、多様なタイプの広告コンテンツが、広告主別、広告タイプ別、コンテンツ形態別、広告等級別など、多様な属性で格納および管理される。
【００５４】
ユーザは、スマートフォン１０を用いて無線インターネット網に接続して広告コンテンツをダウンロードすることができる。また、広告提供者サーバ７０側でリアルタイムで提供する広告コンテンツのリストなどを臨時格納して管理することもできる。広告コンテンツＤＢ２８に格納された広告コンテンツのうち、ユーザが直接選択してダウンロードした広告コンテンツ、または、ユーザの認証を受けた後、広告提供者側で指定した広告コンテンツが、広告コンテンツスキン生成手段３２で端末に好適な背景画面用スキンとして生成される。生成された広告コンテンツスキンは、広告コンテンツスキンＤＢ３４に格納されて管理される。広告コンテンツスキンＤＢ３４は、広告コンテンツ毎に、広告名、広告制作者、制作日、コンテンツ媒体、大きさ、著作権、コンテンツ形式、コンテンツ等級を含むデータ属性を有する。
【００５５】
スキン合成手段４２は、透明スキン入力器生成手段２２で生成された文字キーのフレームのみのデータを有する２次元図形の透明スキン入力器２３と、広告コンテンツスキン生成手段３２で生成された広告コンテンツスキン３３とを合成して、合成スキン４３を形成する。一例として、スキン合成手段４２も、グラフィックソフトウェアで実現され、スマートフォン１０自体に具備される。スキン合成手段４２で合成された合成スキン４３は、合成スキンＤＢ４４に格納されて管理される。そして、図１に示すように、スマートフォン１０の下部領域は、合成スキン４３が表示される領域１２であり、上部領域は、メッセージエディタなどのような編集機エディタがディスプレイされる領域１４である。
【００５６】
広告閲覧補償手段４２は、ユーザの広告閲覧に対する対価として補償を行う手段である。広告閲覧補償手段４２は、好ましくは、広告提供者サーバ７０側に備えられる。広告閲覧補償手段４２は、ユーザの広告閲覧時間、閲覧回数などの情報に基づいて、クーポン、現金、商品、割引などの経済的補償を提供する。広告提供者サーバ７０には、広告閲覧に対する補償のために、広告閲覧ユーザＤＢ５４と、広告閲覧補償情報ＤＢ５６とが構築される。広告閲覧補償手段４２、広告閲覧ユーザＤＢ５４、および広告閲覧補償情報ＤＢ５６については、後述する実施形態で詳細に説明する。
【００５７】
ユーザカスタマイズ型広告コンテンツ生成手段６２は、ユーザが選択した広告コンテンツを広告コンテンツスキンＤＢ３４から検索および抽出する手段である。ユーザカスタマイズ型広告コンテンツ生成手段６２は、ユーザの選択によって実行される機能部であって、ユーザのスマートフォン１０に設けられることが好ましく、広告提供者サーバ７０側に設けられてもよい。
【００５８】
図３は、仮想キー入力手段入力器の透明スキン入力器の生成過程を示すフローチャートであって、スマートフォン１０で仮想キー入力手段入力器を選択する過程を示す。一般的なスマートフォン１０において、文字入力のためのユーザの環境設定は、「環境設定」というメニューで総合管理される。ユーザが環境設定を実行することでステップが始まる（ＳＴ１００）。次に、環境設定モードにおいて、仮想キー入力手段入力器（タッチユーザインタフェースによる）の言語およびキーボード設定が実行される（ＳＴ１１０）。ここで、ユーザは、仮想キー入力手段の言語を選択し（ＳＴ１２０）、入力方式を選択する（ＳＴ１３０）。
【００５９】
入力方式は、一般的に、クワーティキーボードのようなフルキーボード型、電話機パッドのような１２キーパッド型、筆記型文字入力システムなど、多様な入力方式で提供される。入力方式が選択されると、仮想キー入力手段入力器の形状を選択する（ＳＴ１４０）。仮想キー入力手段入力器の形状は、横型の仮想キーパッドまたは縦型の仮想キーパッドであり得、フルキーを有するクワーティキーボード、１２キー数字パッドなど、多様な形状であり得る。
【００６０】
仮想キー入力手段入力器の形状が選択されると、選択された形状に基づいて透明スキン入力器が生成される（ＳＴ１５０）。そして、生成された透明スキン入力器は、透明スキン入力器ＤＢ２４に格納される（ＳＴ１６０）。
【００６１】
図４は、透明スキン入力器の生成過程を例示する構成図であって、透明スキン入力器が生成される過程を示す。透明スキン入力器生成手段２２は、図４Ａのようなクワーティキーボードの透明スキン入力器２３、または図４Ｂのような４×４型キーパッドの透明スキン入力器２３を生成する。このように、透明スキン入力器２３は、２次元配列で構成される。すなわち、透明スキン入力器２３は、各々の文字キーや機能キーなどを区分する境界などを明示的に示し、残りの領域は透明処理したグラフィックデータである。
【００６２】
より具体的に説明すると、まず、仮想キー入力手段入力器の大きさを「横ピクセル数×縦ピクセル数」に定め、２次元グラフィックデータとして生成する。生成された２次元グラフィックデータをキー配列単位でグラフィック処理し、入力器の形状に合わせて線を描いてデータ化する。次いで、各キー配列中に入力文字または機能キーの記号などを被せるグラフィック処理を行った後に、各キーの区分線と文字および記号を除く残りのピクセルを透明処理する。すると、仮想キー入力手段入力器の透明スキン入力器２３が生成される。つまり、透明スキン入力器２３は、透明ガラス板上にキーの境界線と文字などを印刷したような効果を得るようにするコンピュータグラフィック処理で生成する。
【００６３】
図５は、広告コンテンツから広告コンテンツスキンを生成する過程を示す。これを参照すると、まず、広告コンテンツを検索して選択することでステップが始まる（ＳＴ２００）。このとき、広告コンテンツＤＢ２８が参照される。広告コンテンツの検索は、各コンテンツの属性（例えば、コンテンツ名、制作者、供給者などのような）を用いて実行できる。広告コンテンツの検索が実行されると、検索されたコンテンツは、ユーザのディスプレイ画面に開示される。そして、ユーザが所望の広告コンテンツを選択すると、その後、広告コンテンツスキン生成手段３２で広告コンテンツスキン３３を生成する（ＳＴ２１０）。生成された広告コンテンツスキンは、広告コンテンツスキンＤＢ３４に格納される。
広告コンテンツスキン生成手段３２は、好ましくは、選択されたコンテンツをユーザの情報通信端末の物理的特性、すなわち、仮想キーパッドの大きさおよび解像度などに合わせて広告コンテンツスキン３３を生成する。この過程は、グラフィックソフトウェアツールによって行われる。
【００６４】
図６は、透明スキン入力器と広告コンテンツスキンとが合成される過程を図式化したものである。これを参照すると、図３のような過程を経て生成された透明スキン入力器２３と、図５のような過程を経て生成された広告コンテンツスキン３３とが合成されて、合成スキン４３を形成することがよく分かる。合成スキン４３の生成過程は、まず、広告コンテンツスキン３３をスマートフォン１０の仮想キー入力手段入力器領域にロードする。そして、透明スキン入力器２３をロードして広告コンテンツスキン３３と合成する。このように、合成スキン４３が形成されると、本発明が目的とする仮想キー入力手段が完成する。そして、完成した仮想キー入力手段は、図１のように、スマートフォン１０などの固有領域１２にディスプレイされる。
【００６５】
図７は、広告コンテンツを選択する過程を示すフローチャートである。これを参照すると、まず、広告コンテンツの選択過程が開示される（ＳＴ３００）。そして、スマートフォン１０のユーザに外部広告を承諾するか否かを確認する（ＳＴ３１０）。仮に、ユーザが外部広告を承諾しなければ、外部広告は遮断される（ＳＴ３２０）。この場合、ユーザは自分の所望する他の背景画面（例えば、直接撮影したり制作した絵、写真、動画、アニメーションなどのようなコンテンツで構成された背景画面）を仮想キー入力手段入力器のディスプレイ領域にロードすることもできる。
【００６６】
仮に、ユーザが外部広告を承諾すると、ユーザ認証ステップ（ＳＴ３３０）を経て外部広告が提供される。外部広告は広告提供者サーバ７０から提供される。外部広告を提供することは、次のような多様な方法で実現可能である。ここで、ユーザは、次に説明される方法のうちのいずれか１つを選択するか、２つ以上の方法が複合された方式で外部広告を受信することができる。
【００６７】
第一、ユーザが直接広告を選択するステップ（ＳＴ３４０）である。例えば、新刊書籍、アルバム、映画、衣類などのメタデータがユーザに提供される。そして、ユーザは自分が閲覧したい広告のメタデータを選択する。
【００６８】
第二、ユーザの位置情報に基づいて広告コンテンツを提供する（ＳＴ３４１）。例えば、スマートフォン１０に設けられたＧＰＳモジュールでユーザの現在位置を広告提供者サーバ７０側に伝送する。広告提供者サーバ７０は、ユーザの位置情報を収集し、位置情報に関連する広告コンテンツを提供する。例えば、ユーザの現在位置から半径１ｋｍ以内に位置するグルメ情報をユーザに広告コンテンツ形式で提供する。
【００６９】
第三、ユーザの活動情報に基づいて広告コンテンツを提供する（ＳＴ３４２）、例えば、ユーザが自分のショッピング履歴や日課などの情報をスマートフォン１０に格納し、このような情報がユーザの認証によって広告提供者サーバ７０側に伝達される。広告提供者サーバ７０は、ユーザの活動情報を参照して、それに関連する広告コンテンツを提供する。例えば、ユーザが衣類ショッピングを頻繁に行う場合、衣類ショッピング広告をユーザに広告コンテンツ形式で提供する。
【００７０】
第四、ユーザの個人情報に基づいて広告コンテンツを提供する（ＳＴ３４３）。例えば、ユーザの職業、年齢、性別、家族関係、所得などの個人情報を、ユーザの認証によって広告提供者サーバ７０側に伝達する。広告提供者サーバ７０は、ユーザの個人情報を参照して、それに関連する広告コンテンツを提供する。例えば、ユーザがマイカーを所有していない状態であるか、最近マイカーを譲渡した状態であれば、車両広告をユーザに広告コンテンツ形式で提供する。
【００７１】
前記４つのステップ（ＳＴ３４０、ＳＴ３４１、ＳＴ３４２、ＳＴ３４３）は、並列に進行するか、ユーザの選択によっていずれか１つのみが進行することができる。そして、ユーザがいずれか１つのタイプを選択すると、ユーザが選択したタイプおよび広告コンテンツ情報が広告提供者に伝達される（ＳＴ３５０）。このような広告コンテンツの提供方法は、ユーザが広告コンテンツ提供者と相互対話的方式で広告を選択し提供する環境を提供する。
【００７２】
広告提供者サーバ７０では、広告を閲覧したユーザの情報を広告閲覧ユーザＤＢ５４に格納して管理し（ＳＴ３６０）、広告閲覧に関する補償情報を広告閲覧補償情報ＤＢ５６に格納して管理する（ＳＴ３６１）。そして、ユーザが選択した広告コンテンツを広告コンテンツＤＢ２８に格納して管理する（ＳＴ３６２）。このとき、場合によっては、ステップＳＴ３６２に先立ち、広告提供者サーバ７０で広告コンテンツスキンを直接生成し、広告コンテンツスキンＤＢ３４を運営することもできる。この場合、ステップＳＴ３６２では、広告コンテンツスキンを広告コンテンツスキンＤＢ３４に格納して管理する。
その後、広告コンテンツまたは広告コンテンツスキンをユーザに提供する前に、フィルタリングを行う（ＳＴ３７０）。フィルタリングステップでの処理は、各々の広告コンテンツＤＢ２８の属性情報を用いて検索および処理される。例えば、「ポルノ」などのような検索語は、属性情報である広告領域の値であるため、成人認証ステップを経ていない状態では広告の開示を拒否するなどで処理できる。その後、フィルタリングされた広告コンテンツまたは広告コンテンツスキンをユーザの情報通信端末側にロードする（ＳＴ３８０）。
【００７３】
図８は、アンドロイドＯＳ基盤で本発明が実行される例を示す構成図であって、本発明により仮想キー入力手段の背景画面広告が提供される過程を一目瞭然に示す。これを参照すると、スマートフォン１０で提供する環境設定ウィジェットをタッチ入力し、言語およびキーボード選択ウィンドウをアクティブにする。そして、選択ウィンドウで韓国語を意味する「Ｋｏｒ」を選択する。
【００７４】
そして、入力方法選択ウィンドウで「Ｎｅｏｐａｄ  Ｋｏｒ」を選択すると、２番目の列のように入力器の選択過程が開示される。入力器の選択過程では、クワーティと５×５型のハングルキーパッド形態を選択すると、透明スキン入力器生成手段２２が２次元の透明スキン入力器２３を画面上にロードする。
【００７５】
一方、入力方法選択ウィンドウで「広告コンテンツの選択」項目を選択すると、３番目の列のように広告コンテンツの選択過程が開示される。まず、４番目の列のようにユーザ認証過程が進行する。ユーザは、自分のＩＤとパスワードを入力して認証手続きを経る。その後、ユーザは、広告コンテンツ選択ウィンドウで所望の広告項目を選択する。ここに図示しないが、ユーザが貸出広告、ポルノなどのようなアダルト広告の開示を拒否しようとすれば、当該項目のメタデータ項目をチェックしなくてもよい。すると、チェックしなかった項目の広告コンテンツは開示されない。
【００７６】
仮に、ユーザが「自由選択広告」を選択すると、ユーザカスタマイズ型広告コンテンツ提供サービスが進行する。ユーザは、新刊書籍、グルメ情報、衣類新商品、封切映画の中から、自分の所望する広告項目を選択することができる。その後、ユーザが選択した広告項目から下位分類に移り、最終的に広告コンテンツまたは任意の広告項目が選択されると、前述した広告コンテンツスキンの生成および合成スキンの生成過程を経て、背景画面に広告コンテンツがロードされた仮想キー入力手段入力器がスマートフォン１０上にディスプレイされる。
【００７７】
仮に、ユーザが「位置情報の提供」項目を選択すると、ユーザの位置情報の提供を問うウィンドウがアクティブになる。ここで、ユーザが「ＹＥＳ」を選択すると、ユーザの位置情報が広告提供者サーバ７０側に伝達される。広告提供者サーバ７０は、ユーザの位置情報に関連する広告コンテンツを提供する。
【００７８】
仮に、ユーザが「個人情報の提供」項目を選択すると、ユーザの個人情報の提供を問うウィンドウがアクティブになる。ここで、ユーザが「ＹＥＳ」を選択すると、ユーザの個人情報が広告提供者サーバ７０側に伝達される。広告提供者サーバ７０は、ユーザの個人情報に関連する広告コンテンツを提供する。
【００７９】
仮に、ユーザが「活動情報の提供」項目を選択すると、ユーザの活動情報の提供を問うウィンドウがアクティブになる。ここで、ユーザが「ＹＥＳ」を選択すると、ユーザの活動情報が広告提供者サーバ７０側に伝達される。広告提供者サーバ７０は、ユーザの活動情報に関連する広告コンテンツを提供する。
【００８０】
このようなユーザカスタマイズ型またはユーザ対話型で広告コンテンツを提供する方法の利点は、ユーザの意思に関係なく一方的に提供される現行のバナー広告のような問題を低減することができる。また、広告提供者は、実際にユーザが必要とする広告を提供することで広告効果をより向上させることができ、ユーザは自分の所望する広告を見て多様な商品情報などを得ることができる。このとき、広告コンテンツの属性を検索してアダルトサイトなどをフィルタリングする技術は、現在商用化されているフィルタリング技術であり、形態素処理技術による使用者の意図把握技術も公知の技術を用いて処理可能である。
一方、広告提供者がユーザの仮想キー入力手段入力器上に広告コンテンツまたは広告コンテンツスキンを提供する方法は２つで進行することができる。２つの方法は、リアルタイムストリーミング方式と、オフラインストリーミング方式である。前者は、広告コンテンツスキンＤＢ３４で当該広告コンテンツをリアルタイムストリーミング方式でダウンロードすることを意味する。この方式は、ユーザが別途に格納空間を割り当てる必要がないという利点がある反面、無線ネットワーク網が混雑している場合、トラフィックジャム（Ｔｒａｆｆｉｃ  Ｊａｍ）を起こすことがある。後者は、適当な時間にユーザの情報通信端末のメモリ領域に当該広告コンテンツをダウンロードした後、ユーザの要求があるときに開示する方式である。この方式は、無線ネットワーク網が比較的暇な時間帯を利用してユーザにダウンロードする方式であるが、ユーザの格納空間を必要とする。したがって、後者の方式を採用する場合には、ユーザに適切な補償が追加される必要がある。
【００８１】
図９は、広告閲覧に対する対価を補償する過程を示すフローチャートである。広告閲覧補償手段５２は、ユーザの広告閲覧に対する対価として補償を提供する機能部である。広告閲覧補償手段５２は、広告閲覧ユーザＤＢ７５４を検索し、一定期間のユーザの広告閲覧統計を求める（ＳＴ４００）。このとき、広告閲覧ユーザＤＢ５４は、ユーザ毎に、閲覧広告内訳、補償内訳、補償日などのデータ属性を格納および管理するデータベースシステムである。そして、補償内訳などに関する情報を得るために、広告閲覧補償情報ＤＢ５６を参照する。広告閲覧補償情報ＤＢ５６は、広告コンテンツ毎に、広告コンテンツ名、広告閲覧項目、広告閲覧数、閲覧日、補償方法などのデータ属性を格納および管理するデータベースシステムである。
【００８２】
広告閲覧補償手段５２は、統計値を根拠にしてユーザ側に補償内訳を開示する（ＳＴ４１０）。その後、ユーザの承認手続きなどを経て補償の支払いが行われる（ＳＴ４２０）。このとき、ユーザに対する補償は、割引クーポン、現金、商品、割引額、ポイントなどの多様な方法で提供できる。引いては、ユーザはこのような補償方法を自分の意志で選択することもできる。
【００８３】
図１０は、ユーザが補償内訳を選択する過程を示すフローチャートである。これを参照すると、ユーザの認証ステップ（ＳＴ５００）を経ることでステップが始まる。ユーザの認証情報は、広告閲覧ユーザＤＢ５４に格納されて管理される。次に、ユーザの補償内訳統計を求める過程が進行する（ＳＴ５１０）。そして、ユーザに補償内訳が開示される（ＳＴ５２０）。ここまでの過程は、図９と同一である。
【００８４】
その後、ユーザに補償内訳を選択させる過程が進行する（ＳＴ５３０）。このとき、補償内訳は、例えば、割引取り（ＳＴ５４０）、現金取り（ＳＴ５４１）、商品取り（ＳＴ５４２）、割引取り（ＳＴ５４３）などの手続きが、ユーザの選択によって進行する。各々のステップの後には、クーポン配送（ＳＴ５５０）、現金支給（ＳＴ５５１）、商品発送（ＳＴ５５２）、割引金額控除許可（ＳＴ５５３）のステップが進行する。
【００８５】
図１１は、本実施形態で言及されたデータベースシステムのレコード属性を例示するメモリテーブルを示す。図１１Ａは、透明スキン入力器ＤＢ２４に格納された透明スキン入力器に対する属性と値を例示する。図示のように、透明スキン入力器毎に、使用言語、入力方式、入力器の形態、制作日、制作者、大きさなどの属性と値が格納される。図１１Ｂは、広告コンテンツスキンＤＢ３４に格納された広告コンテンツスキンに対する属性と値を例示する。図示のように、広告コンテンツスキン毎に、広告名、広告制作者、制作日、コンテンツ媒体、大きさ、著作権、コンテンツ等級、コンテンツ形式などの属性と値が格納される。
【００８６】
図１１Ｃは、広告閲覧補償情報ＤＢ５６に格納された広告コンテンツに対する属性と値を例示する。図示のように、広告コンテンツ毎に、広告コンテンツ名、補償方法、閲覧項目、広告閲覧数、閲覧時間、広告提供者などの属性と値が格納される。図１１Ｄは、広告閲覧ユーザＤＢ５４に格納されたユーザ毎の属性と値を例示する。図示のように、ユーザ毎に、ユーザ名、閲覧広告内訳、閲覧時間、補償額、補償内訳、希望する補償方法などの属性と値が格納される。
図１１に開示されたようなデータベースシステム構成に格納された各々のデータ属性は、透明スキン入力器の検索および生成、広告コンテンツスキンの検索および生成、広告閲覧に対する補償のための統計値を求めること、ユーザに対する補償の実施などに用いられる。
【００８７】
図１２は、広告コンテンツスキンが仮想キー入力手段の背景画面に活用された多様な例を示す。図１２Ａは、キャラクタ事業の広告コンテンツが背景画面に提供された例であり、図１２Ｂおよび図１２Ｃは、有名ブランドの背景画面広告例であり、図１２Ｄは、スマートフォンのダイヤルキーパッドに実現した背景画面広告例である。このように、遊休空間であるタッチ型キーパッドなどの空間を広告ビジネス領域として活用することにより、最新のユーザインタフェース技術であるタッチユーザインタフェースと、ユーザの潜在的欲求の実現を目標とするユーザ経験（ＵＸ）技術とが融合可能であり、空間活用度を高めることはもちろん、新しいモバイル広告ビジネスモデルを創り出すことができる。
【００８８】
本発明は、上述した実施形態および添付した図面により限定されるものではなく、本発明の技術的思想を逸脱しない範囲内で様々な置換、変形および変更が可能であることが、本発明の技術分野における通常の知識を有する者にとって自明である。
【図１】
0005848770.tif 000002
【図２】
0005848770.tif 000003
【図３】
0005848770.tif 000004
【図４Ａ】
0005848770.tif 000005
【図４Ｂ】
0005848770.tif 000006
【図５】
0005848770.tif 000007
【図６】
0005848770.tif 000008
【図７】
0005848770.tif 000009
【図８】
0005848770.tif 000010
【図９】
0005848770.tif 000011
【図１０】
0005848770.tif 000012
【図１１】
0005848770.tif 000013
【図１２Ａ】
0005848770.tif 000014
【図１２Ｂ】
0005848770.tif 000015
【図１２Ｃ】
0005848770.tif 000016
【図１２Ｄ】
0005848770.tif 000017